(57)【要約】      （修正有）【課題】撮影部の設置位置が制限されず、設定の変更を容易に行うことができる監視装置を提供する。【解決手段】撮影部２で撮影された前記監視対象者Ｘをリアルタイムで表示するとともに、当該監視対象者の位置を特定するためのマーカーを表示する表示部３と、監視対象者に対する前記撮影部の相対的な設置位置の入力を受け付ける第１入力部と、前記設置位置に応じて前記撮影部で撮影される前記監視対象者の置かれた環境を予め規定した監視環境データが記憶された第１記憶部と、前記第１入力部に入力された設置位置に基づいて前記第１記憶部から前記監視環境データを読み出して監視環境条件を設定する第１設定制御部と、前記設置位置において前記撮影部の位置及び向きの少なくとも一方を変化させることで、前記表示部に表示された前記監視対象者と前記マーカーとを位置合わせした後に、前記監視対象者の監視基準位置として記憶する。【選択図】図１
2014182409.tif 000002
【特許請求の範囲】
【請求項１】
監視対象者の動作を監視する監視装置であって、
撮影部と、
前記撮影部で撮影された前記監視対象者をリアルタイムで表示するとともに、当該監視対象者または監視対象基準物の位置を特定するためのマーカーを表示する表示部と、
監視対象者または監視対象基準物に対する前記撮影部の相対的な設置位置の入力を受け付ける第１入力部と、
前記設置位置に応じて前記撮影部で撮影される前記監視対象者の置かれた環境を予め規定した監視環境データが記憶された第１記憶部と、
前記第１入力部に入力された設置位置に基づいて前記第１記憶部から前記監視環境データを読み出して監視環境条件を設定する第１設定制御部と、
前記設置位置において前記撮影部の位置及び向きの少なくとも一方を変化させることで、前記表示部に表示された前記監視対象者または監視対象基準物と前記マーカーとを位置合わせした後に、当該位置合わせの完了の入力を受け付ける第２入力部と、
前記位置合わせが完了した前記マーカーの位置を、前記監視対象者または監視対象基準物の監視基準位置として記憶する第２記憶部と、
前記監視環境条件、及び前記第２入力部に入力された前記監視基準位置に基づいて、前記撮影部で撮影された前記監視対象者の画像から当該監視対象者の動作を分析するための基準となる監視基準条件を設定する第２設定制御部と、
前記監視基準条件に基づいて、前記撮影部により撮影された前記監視対象者の画像を分析し、前記監視対象者の動作を検知する画像分析部と、
を備えている、監視装置。
【請求項２】
前記撮影部を支持する支持部をさらに備えており、
前記撮影部は、前記支持部に対する向き及び位置の少なくとも一方が調整可能に構成されている、請求項１に記載の監視装置。
【請求項３】
前記表示部に表示される前記監視対象者または監視対象基準物の位置の入力を受け付ける第３入力部と、
前記支持部に対する前記撮影部の位置及び向きの少なくとも一方を変化させる駆動部と、を備え、
前記第２設定制御部は、前記第３入力部により受け付けられた前記表示部上の前記監視対象者または監視対象基準物の位置へ、前記マーカーを位置合わせするように、前記駆動部の制御を行う、請求項１または２に記載の監視装置。
【請求項４】
前記表示部は、前記設置位置の候補を示す複数の設置位置候補を表示するとともに、前記第１入力部から前記設置位置候補の１つの入力を促す表示を行う、請求項１から３のいずれかに記載の監視装置。
【請求項５】
前記マーカーは、人の形状または監視対象基準物の形状をなしており、
前記第１設定制御部は、前記設置位置に応じた形態の前記マーカーを、前記表示部に表示する、請求項１から４のいずれかに記載の監視装置。
【請求項６】
前記監視環境データは、少なくとも、前記監視対象者の周囲に配置されるとともに前記撮影部により撮影された画像に含まれる前記監視対象基準物の形態、及び当該監視対象基準物を基準として監視対象者が動作すると推定される領域を有している、請求項１から５のいずれかに記載の監視装置。
【請求項７】
前記画像分析部により検知された前記監視対象者の動作を通知する通知部と、
をさらに備えている、請求項１から５のいずれかに記載の監視装置。
【発明の詳細な説明】
【技術分野】
【０００１】
本発明は、監視装置に関する。
【背景技術】
【０００２】
近年、入院患者、施設入居者、要介護者等がベッドから転倒、転落する事故、及び、認知症患者の徘徊による事故が年々増加する傾向にある。このような事故を防止する方法として、例えば、病院では、荷重センサ、体動式ワイヤ、赤外線センサ等の器具を用いて、起き上がり、端座位、離床等の見守り対象者の行動を検出する監視システムが導入されている。例えば、特許文献１には、ベッドに寝ている患者が起床挙動を行ったことを判定するための見守り領域を、ベッドに就寝している患者を含むベッドの直上の領域に設定することが開示されている。そして、ベッドの横方向から見守り領域を含む撮像画像の見守り領域に占める患者と思われる画像領域の大きさを示す変動値が、患者がベッドに寝ている状態でカメラから得られた撮像画像の見守り領域に占める患者と思われる画像領域の大きさを示す初期値未満である場合に、患者が起床挙動を行っていると判断している。
【先行技術文献】
【特許文献】
【０００３】
【特許文献１】特開２０１１−００５１７１号公報
【発明の概要】
【発明が解決しようとする課題】
【０００４】
ところが、特許文献１に記載の技術では、カメラを含む撮影部の位置を固定しているため、その位置を簡単に変更することはできなかった。これは、カメラの位置と、撮像画像の見守り領域とが対応しているため、カメラの位置を変更すると、見守り領域の設定も変更しなければならないからである。したがって、従来の技術で患者を見守るには、カメラを固定しなければならず、病室やベッドの形態に起因してカメラの位置を変更を要する場合には、そもそもカメラによる見守りを行うことができなかった。あるいはカメラの位置の変更を行う場合には、これに伴って見守り領域の設定変更などを行う必要があり、システムの設定に多大な労力を要するという問題があった。なお、このような問題は、介護における現場のみならず、特定の監視対象者の行動を監視する場合に起こりうる問題である。
【０００５】
本発明は、上記問題を解決するためになされたものであり、撮影部の設置位置が制限されず、設定の変更を容易に行うことができ、しかも、監視対象者の動作を正確に分析することが可能な監視装置を提供することを目的とする。
【課題を解決するための手段】
【０００６】
本発明は、監視対象者の動作を監視する監視装置であって、撮影部と、前記撮影部で撮影された前記監視対象者をリアルタイムで表示するとともに、当該監視対象者または監視対象基準物の位置を特定するためのマーカーを表示する表示部と、監視対象者または監視対象基準物に対する前記撮影部の相対的な設置位置の入力を受け付ける第１入力部と、前記設置位置に応じて前記撮影部で撮影される前記監視対象者の置かれた環境を予め規定した監視環境データが記憶された第１記憶部と、前記第１入力部に入力された設置位置に基づいて前記第１記憶部から前記監視環境データを読み出して監視環境条件を設定する第１設定制御部と、前記設置位置において前記撮影部の位置及び向きの少なくとも一方を変化させることで、前記表示部に表示された前記監視対象者または監視対象基準物と前記マーカーとを位置合わせした後に、当該位置合わせの完了の入力を受け付ける第２入力部と、前記位置合わせが完了した前記マーカーの位置を、前記監視対象者または監視対象基準物の監視基準位置として記憶する第２記憶部と、前記監視環境条件、及び前記第２入力部に入力された前記監視基準位置に基づいて、前記撮影部で撮影された前記監視対象者の画像から当該監視対象者の動作を分析するための基準となる監視基準条件を設定する第２設定制御部と、前記監視基準条件に基づいて、前記撮影部により撮影された前記監視対象者の画像を分析し、前記監視対象者の動作を検知する画像分析部と、を備えている。なお、監視対象基準物とは、例えば、監視対象者の周囲にある家具などの構造物とすることができる。
【０００７】
この構成によれば、次の効果を得ることができる。まず、撮影部で撮影された監視対象者の画像を分析するにあたっては、監視対象者の基準位置などを特定する必要があり、この基準位置と、監視対象者の画像とを対比することで、監視対象者の動作を分析する。このとき、表示部に表示される監視対象者は、装置の位置によって表示のされ方が相違するという問題が生じる。例えば、監視対象者を正面から撮影する場合と、側面から撮影する場合とでは、同じ監視対象者であっても、表示部に表示される監視対象者の形状、向き、大きさが相違することがある。したがって、撮影部の設置位置が変わると、同じ動作であっても、撮影される監視対象者の画像の形状等が異なるため、監視対象者の動作を正確に分析できない可能性があった。そのため、従来は撮影部の位置や向きを固定せざるを得なかった。
【０００８】
そこで、本発明では、撮影部の設置位置に応じて、撮影される監視対象者の置かれた環境を予め規定した監視環境データを記憶しておく。この監視環境データにより、撮影部の設置位置に応じた画像の分析が可能となる。すなわち、撮影部によって撮影される画像は、上述したように、撮影部の設置位置によって異なるため、このような監視環境データを参照すれば、撮影部の設置位置ごとに監視対象者の置かれた環境が監視環境条件として設定されるため、その環境を基準として監視対象者の動作の分析を正確に行うことができる。さらに、表示部に表示される監視対象者または監視対象基準物とマーカーとの位置合わせを行い、位置合わせされたマーカーの位置を監視基準位置として記憶しているので、撮影された画像の中での監視対象者または監視対象基準物の位置を正確に特定することができる。こうして設定された監視環境データ及び監視基準位置に基づいて、前記撮影部で撮影された前記監視対象者の画像から当該監視対象者の動作を分析するための基準となる監視基準条件を生成すれば、設置位置に応じた監視対象者の周囲の環境、つまり動作の基準を設けることができるため、撮影部により撮影された監視対象者の画像を正確に分析することができる。
【０００９】
上述した監視装置では、撮影部を支持する支持部をさらに備えることができる。そして、撮影部は、支持部に対する向き及び位置の少なくとも一方が調整可能に構成することができる。このような構成によれば、まず、支持部の位置を決めることで、上述した撮影部の設置位置が決まる。その後、支持部に対する撮影部の角度や上下方向などの位置を調整することで、マーカーの位置合わせを行うことができる。
【００１０】
上述した監視装置において、上記マーカーの位置合わせは、手動で行うこともできるが、機械的に行うこともできる。例えば、前記表示部に表示される前記監視対象者または監視対象基準物の位置の入力を受け付ける第３入力部と、前記支持部に対する前記撮影部の位置及び向きの少なくとも一方を変化させる駆動部と、をさらに備え、前記第２設定制御部が、前記第３入力部により受け付けられた前記表示部上の前記監視対象者または監視対象基準物の位置へ、前記マーカーを位置合わせするように、前記駆動部の制御を行うように構成することができる。これにより、マーカーと監視対象者との位置合わせを自動で行うことができる。駆動部は、例えば、機械的な機構やモータなどを組み合わせることで、撮影部の角度や位置を調整することができる。
【００１１】
上述した監視装置において、前記表示部は、前記設置位置の候補を示す複数の設置位置候補を表示するとともに、前記第１入力部から前記設置位置候補の１つの入力を促す表示を行うことができる。このようにすると、設置位置の入力が容易になる。
【００１２】
上述した監視装置においては、前記マーカーを、人の形状または監視対象基準物の形状をなすように構成し、前記設置位置に応じて、前記表示部に表示される前記マーカーの向き及び形状の少なくとも一方が相違するように構成することができる。このようにすると、表示部に表示される監視対象者とマーカーとの位置合わせが容易になる。
【００１３】
上述した監視装置において、前記監視環境データは、少なくとも、前記監視対象者の周囲に配置されるとともに前記撮影部により撮影された画像に含まれる前記監視対象基準物の形態を有することができる。監視対象基準物の形態とは、撮影された画像に含まれる基準物の大きさ、形状、向きなどとすることができる。
【００１４】
上述した監視装置は、前記画像分析部により検知された前記監視対象者の動作を通知する通知部、をさらに備えることができる。こうすることで、監視対象者の動作を容易に知ることができる。
【発明の効果】
【００１５】
本発明によれば、監視対象者の動作を正確に分析することが可能となる。
【図面の簡単な説明】
【００１６】
【図１】本発明の第１実施形態に係る監視装置の概略図である。
【図２】図１の情報処理装置のハードウェア構成を示すブロック図である。
【図３】図１の情報処理装置の機能構成を示すブロック図である。
【図４】液晶ディスプレイの操作画面の一例を示す図である。
【図５】液晶ディスプレイの操作画面の一例を示す図である。
【図６】撮影された画像における環境領域と動体領域を示す図である。
【図７】撮影された画像における環境領域と動体領域を示す図である。
【図８】画像分析部による画像分析の手順を示すフローチャートである。
【図９】患者の起き上がりを示す画像である。
【図１０】第１実施形態に係る監視装置の監視手順を示すフローチャートである。
【図１１】本発明の第２実施形態に係る情報処理装置のブロック図である。
【図１２】本発明の第２実施形態に係る操作画面の一例を示す図である。
【図１３】第２実施形態に係る監視装置の監視手順を示すフローチャートである。
【図１４】マーカーの他の例を示す図である。
【図１５】マーカーとしてベッドを示した場合の操作画面の一例を示す図である。
【発明を実施するための形態】
【００１７】
＜１．第１実施形態＞
以下、本発明に係る監視装置を、病院における入院患者（監視対象者）の行動を見守る場面に適用した第１実施形態について、図面を参照しつつ説明する。
【００１８】
＜１−１．監視装置の概要＞
本実施形態に係る監視装置は、入院患者の行動を見守るため、病室における入院患者Ｘのベッド１００の近傍に配置される。具体的には、この監視装置は、床面から上方に延びる支持部１を備えており、この支持部１によってカメラ（撮影部）２と液晶ディスプレイ（表示部）３が支持されている。また、この監視装置には、カメラ２及び液晶ディスプレイ３の動作を制御する情報処理装置４が設けられている。
【００１９】
支持部１は、上下方向に延びる棒状部材１１と、この棒状部材１１の下端部に取付けられる基台１２とを備えている。基台１２は、床面に載置されるものであり、棒状部材１１を支持している。棒状部材１１は、伸縮可能に構成されており、その上端部には上述したカメラ２が取付けられている。また、このカメラ２は棒状部材１１に対して角度を調整可能となっている。これにより、カメラ２は、棒状部材１１の伸縮により上下方向にその位置を変更することができ、さらに角度も調整することができる。そのため、ベッド１００にいる入院患者Ｘに対するカメラ２の位置合わせを容易に行うことができる。
【００２０】
液晶ディスプレイ３は、タッチパネル式とすることができ、カメラ２で撮影される画像をリアルタイムで表示するとともに、操作者（典型的には医療従事者）により操作される。また、この液晶ディスプレイ３は、棒状部材１１の中間部に着脱自在に取付けられており、操作時には、棒状部材１１から取り外して使用することもできる。カメラ２及び液晶ディスプレイ３は、情報処理装置４に対して無線で接続されており、例えばブルートゥース（Bluetooth：登録商標）方式、ＵＷＢ（Ultra Wide Band）方式、無線ＬＡＮ（Local Area Network）などによる近距離無線通信により接続することができる。但し、これらをケーブル等の有線で接続することもできる。
【００２１】
＜１−２．情報処理装置のハードウェア構成＞
次に、情報処理装置４について説明する。まず、情報処理装置４のハードウェア構成について、図２を参照しつつ説明する。図２は、本実施形態に係る情報処理装置４のハードウェア構成を例示する。同図に示すように、この情報処理装置４は、ＣＰＵ、ＲＡＭ（Random Access Memory）、及び、ＲＯＭ（Read Only Memory）等を含む制御部４１、制御部４１で実行するプログラム５１や監視用の監視環境データ５２等を記憶する記憶部４２、ネットワークを介して通信を行うための通信インタフェース４３、記憶媒体６に記憶されたプログラムを読み込むためのドライブ４４、及び、外部装置と接続するための外部インタフェース４５が電気的に接続されたコンピュータである。このほか、情報処理装置４として、例えば、提供されるサービス専用に設計された装置の他、ＰＣ（Personal Computer）、タブレット端末等の汎用の装置が用いられてよい。また、情報処理装置４は、１又は複数のコンピュータにより実装されてもよい。
【００２２】
なお、情報処理装置４の具体的なハードウェア構成に関して、実施形態に応じて、適宜、構成要素の省略、置換、及び、追加が可能である。例えば、制御部４１は、複数のプロセッサを含んでもよい。また、情報処理装置４は、ディスプレイ等の出力装置、及び、マウス、キーボード等の入力を行うための入力装置を備えてもよい。なお、図２では、通信インタフェース及び外部インタフェースは、それぞれ、「通信Ｉ／Ｆ」及び「外部Ｉ／Ｆ」と記載される。
【００２３】
また、この情報処理装置４は、複数の外部インタフェース４５を備え、複数の外部装置と接続されてもよい。本実施形態の情報処理装置４は、通信インタフェース４３を介して上述したカメラ２と液晶ディスプレイ３とが無線で接続されている。また、外部インタフェース４５を介して、ナースコール等の施設に設置された設備に接続することもできる。これにより、入院患者に危険の迫る予兆があることを知らせるための通知を当該設備と連携することができる。なお、カメラ２や液晶ディスプレイ３を有線で接続する場合には、これらは外部インタフェース４５に接続される。
【００２４】
上述した制御部４１により実行されるプログラム５は、情報処理装置４に後述する動作に含まれるステップを実行させるプログラムであるが、記憶部４２に記憶されるほか、記憶媒体６に記録されていてもよい。記憶媒体６は、コンピュータその他装置、機械等が記録されたプログラム等の情報を読み取り可能なように、当該プログラム等の情報を、電気的、磁気的、光学的、機械的、又は、化学的作用によって蓄積する媒体である。図２では、記憶媒体６の一例として、ＣＤ（Compact Disk）、ＤＶＤ（Digital Versatile Disk）等のディスク型の記憶媒体を例示しているが、記憶媒体６の種類は、ディスク型に限定される訳ではなく、ディスク型以外であってもよい。ディスク型以外の記憶媒体として、例えば、フラッシュメモリ等の半導体メモリを挙げることができる。
【００２５】
＜１−３．情報処理装置の機能構成＞
図３は、本実施形態に係る情報処理装置４の機能構成の一例を示す。本実施形態に係る情報処理装置４が備えるＣＰＵは、記憶部４２に記憶されたプログラム５をＲＡＭに展開する。そして、ＣＰＵは、ＲＡＭに展開されたプログラム５を解釈及び実行して、各構成要素を制御する。これにより、本実施形態に係る情報処理装置４は、表示制御部７１、第１設定制御部７２、第２設定制御部７３、及び画像分析部７４を備えるコンピュータとして機能する。以下、これらを説明する。
【００２６】
表示制御部７１は、液晶ディスプレイ３に表示される操作画面の制御を行うものである。例えば、操作画面の表示の制御、カメラ２で撮影された画像を受信し、これをリアルタイムで液晶ディスプレイ３に表示させるための制御、液晶ディスプレイ３の表示設定など、液晶ディスプレイ３に表示される各種の表示状態の制御を行う。ここで、液晶ディスプレイ３に表示される操作画面３０の例について，図４を参照しつつ説明する。同図に示すように、操作画面３０の左側には、監視装置の設置位置を設定する設置位置設定領域３１が設けられ、右側にはカメラ２で撮影された画像をリアルタイムで表示する画像表示領域３２が設けられている。また、操作画面３０の下部の右側には、後述するように入院患者の位置を確定させる確定ボタン３３、操作画面３０の下部の左側には、確定ボタン３３の操作をキャンセルするためのキャンセルボタン３４が設けられている。上述したように、この液晶ディスプレイ３にはタッチパネルが設けられているため、ボタン３３，３４の押下などの入力操作は、液晶ディスプレイ３をタッチすることで行うことができる。
【００２７】
操作画面３０に設けられた設置位置設定領域３１の上部には、「（１）カメラの位置をタッチしてください」との、設置位置の入力を促す表示３１１がなされている。また、この表示の下方には、入院患者が就寝するための矩形状のベッド３１０が入院患者３１３の頭側が上方になるように表示され、その周囲の８箇所にカメラの設置位置３１２ａ〜３１２ｈの候補（円形の表示）が表示されている。より詳細に説明すると、カメラの設置位置の候補３１２ａ〜３１２ｈは、ベッド３１０の４つの角部近傍、及びベッド３１０の上下左右の各辺の中央付近に設けられており、いずれかをタッチすることで、カメラ２の設置位置が入力される。なお、図４の例では、右上の設置位置３１２ｃの色が変化しているが、これは、この設置位置３１２ｃが選択されたことが示されている。
【００２８】
カメラ２の設置位置が入力されると、第１設定制御部７２は、画像分析のための監視環境条件を設定する。カメラ２で撮影される画像は、例えば、入院患者を上方から撮影する場合と、側方から撮影する場合とでは、同じ入院患者であっても、液晶ディスプレイ３に表示される患者やその周囲の構造物の形状、向き、大きさが相違する。すなわち、カメラ２の位置によって画像分析を行う前提となる患者の画像、あるいは患者の周囲の構造物などの画像が相違する。そこで、本実施形態では、上記のように、カメラ２の位置を入力させ、画像分析の前提となる監視環境条件を設定する。
【００２９】
より詳細に説明すると、図４の操作画面の画像表示領域３２には、カメラ２が斜め上方に配置されている場合の画像が示されているが、例えば、図５に示すように、カメラ２をベッド１００の足下側（設置位置３１２ｇ）に配置すると、画像表示領域３２に表示される画像が全く相違する。つまり、図４の画像と図５の画像とでは、入院患者Ｘ及びベッド１００の向き、形状、大きさが異なる。したがって、入院患者Ｘの動作を画像によって分析するためには、少なくとも、ベッド１００を含めた入院患者Ｘの周囲の環境を特定する必要がある。そのため、本実施形態では、カメラ２の設置位置ごとに設定された監視環境データを記憶部４２に記憶している。監視環境データとは、入院患者Ｘの置かれた周囲の環境を予め規定されたものであり、例えば、撮影画像におけるベッド１００の位置、大きさ、形状や、入院患者Ｘの動き得る領域を規定したものである。例えば、図４で示した例の監視環境データは、図６に示されている。すなわち、設置位置ごとの撮影された画像の中のベッドを示す環境領域２００、及び患者が動き得る動体領域３００であり、これらの画像の座標などが監視環境データとなる。同様に、図５で示した例の監視環境データは、図７に、ベッドを示す環境領域２００、及び患者が動き得る動体領域３００として示されている。このように、監視の前提となる入院患者Ｘの置かれた環境となる画像は、カメラ２の位置によって全く相違するため、本実施形態では、カメラ２の位置が入力されると、第１設定制御部７２が、入力されたカメラ２の位置に対応する監視環境データを記憶部４２から読み出し、これを監視環境条件として設定する。このような監視環境データは、カメラ２の配置される位置ごとに、予めベッドの大きさや形状などに基づいて決定される。
【００３０】
上記のように、カメラ２の位置が入力されると、第１設定制御部７２は、図４に示すように、画像表示領域３２にマーカーＭを表示させる。マーカーＭは、人の形状（点線で示された輪郭）をしており、カメラ２の設置位置ごとに、監視環境データの１つとして設定されている。すなわち、マーカーＭで示される人の形状は、カメラ２の位置によって異なるからである。例えば、図４の画像表示領域３２には、表示されたベッド１００に適合するような人の形状をなしたマーカーＭが表示される。なお、マーカーＭの表示は、第２設定制御部７３が行ってもよい。
【００３１】
図４に示す例では、マーカーＭの位置と、画像表示領域３２に表示された入院患者の位置が相違している。そのため、操作者は、カメラ２を動かすことで、マーカーＭの位置と入院患者Ｘの位置とを一致させる。この点については、画像表示領域３２の上部に、「（２）頭の位置がマーカーの頭と合うようにカメラの方向を調整してください」との表示により、操作者に調整を促している。上記のように、カメラ２は、棒状部材１１に対して角度や高さを変更することができるため、操作者は、画像表示領域３２を見ながら、両者の位置を一致させる。そして、位置合わせが完了すると、操作者は確定ボタン３３を押下する。こうして、確定ボタン３３が押下されると、第２設定制御部７３は、画像におけるマーカーＭの位置を監視基準位置として設定する。すなわち、画像上の入院患者Ｘの位置（画像上の座標など）が決定される。
【００３２】
これに続いて、第２設定制御部７３は、上記のように読み出した監視環境条件と、設定された監視基準位置に基づいて、監視基準条件を設定する。上述の監視環境条件は、カメラ２の位置に基づいて決定されているベッド１００などの形態であるが、正確な位置までは設定されてないため、上記のように、マーカーＭを位置合わせすることで、画像中のベッド１００の位置を特定する。これに基づいて、監視基準条件が設定される。すなわち、監視基準条件とは、最初に設定された監視環境条件、つまり撮影画像の中で患者Ｘの周囲に配置されたベッド（監視対象基準物）の位置を、マーカーＭにより設定された監視基準位置に基づいて修正したものであり、これにより、画像の中でのベッド１００の正確な位置が特定される。
【００３３】
こうして、第２設定制御部７３は、監視基準条件が設定されると、入院患者Ｘの監視の準備が整う。入院患者Ｘの動作の分析は、画像分析部７４により行われる。画像分析部７４は、種々の構成を取ることができるが、以下に、画像分析部７４による画像分析の例を示す。
【００３４】
＜１−４．画像分析の例＞
図８は、本実施形態に係る情報処理装置４の動作例を示すフローチャートである。なお、以下で説明する動作例の処理手順は一例に過ぎず、各処理は、可能な限り入れ替えられてよい。また、以下で説明する動作例の処理手順について、実施の形態に応じて、適宜、処理の省略、置換、及び、追加が可能である。
【００３５】
ステップＳ１０１では、画像分析部７４は、患者Ｘとこの患者の行動の基準となる監視対象基準物（ここではベッド１００）とを撮影した動画像を取得する。本実施形態では、画像分析部７４は、入院患者Ｘとベッド１００とを撮影した動画像をカメラ２から取得する。
【００３６】
この場合、画像分析部７４は、カメラ２に対するビデオ信号に同期させて画像を取得してもよい。そして、画像分析部７４は、後述するステップＳ１０２〜Ｓ１０３までの処理を取得した画像に対して即座に実行してもよい。情報処理装置４は、当該動作を連続して絶え間なく実行することで、リアルタイム画像処理を実現し、リアルタイムに入院患者又は施設入居者の行動を見守ることを可能にする。
【００３７】
ステップＳ１０２では、画像分析部７４は、ステップＳ１０１で取得した動画像中から、上述した動きが生じている動体領域３００、換言すると、動体が存在する領域を検出する。動体を検出する方法として、例えば、差分画像を用いる方法及びオプティカルフローを用いる方法を挙げることができる。
【００３８】
差分画像を用いる方法とは、異なる時間に撮影された複数の画像の差を観察することで、動体を検出する方法である。当該方法の具体例として、背景画像と入力画像との差分から動体領域３００を検出する背景差分法、異なる３枚の画像を用いて動体領域３００を検出するフレーム間差分法、及び、統計的モデルを適用して動体領域３００を検出する統計的背景差分法を挙げることができる。
【００３９】
また、オプティカルフローを用いる方法とは、物体の動きをベクトルで表現したオプティカルフローに基づいて動体を検出する方法である。オプティカルフローは、具体的には、異なる時間に撮影された２枚の画像間で対応付けられた同じ対象の移動量をベクトルデータとして表現する。当該オプティカルフローを求める方法の一例として、例えば、テンプレートマッチングを用いてオプティカルフローを求めるブロックマッチング法、及び、時空間微分の拘束を利用してオプティカルフローを求める勾配法を挙げることができる。当該オプティカルフローは物体の移動量を表現するため、当該方法では、オプティカルフローのベクトル値が零ではない画素を集めることで動体領域を検出することができる。
【００４０】
画像分析部７４は、これらの方法からいずれかの方法を選択して、動体を検出してもよい。また、動体を検出する方法は、以上のいずれかの方法からユーザによって選択されてもよい。動体を検出する方法は、以上のいずれかの方法に限定されず、実施の形態に応じて、適宜、選択されてよい。
【００４１】
ステップＳ１０３では、画像分析部７４は、ベッド１００が存在する領域として動画像内に設定された環境領域２００とステップＳ１０２において検出された動体領域３００との位置関係に応じて、患者Ｘのベッド１００に関する行動を推定する。本実施形態では、画像分析部７４は、患者Ｘのベッド１００に関する行動として、ベッド１００上での起き上がり、ベッド１００における端座位、ベッド１００の柵越え、ベッド１００からの落下、及び、ベッド１００からの離床、のうちの少なくともいずれかの行動を推定する。以下では、このうちベッド１００からの起き上がりについて説明する。なお、本実施形態では、患者の行動の基準となる監視対象基準物としてベッド１００が選択されているため、環境領域２００は、ベッド領域、ベッドエリア等と称されてもよい。
【００４２】
患者Ｘが、図７で例示されるような状態、換言すると、ベッド１００上で仰向けに寝ている状態（仰臥位）から図９で例示されるように起き上がったとする。この場合、情報処理装置４の画像分析部７４は、ステップＳ１０１において、ベッド１００の足下側のカメラ２から、図９でその一場面が例示されるような動画像を取得することができる。
【００４３】
このとき、患者Ｘは仰臥位の状態から上半身を起こすため、ステップＳ１０１において取得される動画像では、ベッド１００上方の領域であって、患者の上半身部分が映る領域に、動きが生じると想定される。すなわち、ステップＳ１０２において、図９で例示される位置付近に動体領域３００が検出されると想定される。
【００４４】
ここで、図９に例示されるように、動画像内にベッド１００が映る領域を含むように環境領域２００が設定されていると仮定する。そうすると、患者Ｘがベッド１００上で起き上がった場合には、ステップＳ１０２では、環境領域２００の上端周辺の動体領域３００に、動体が検出されると想定される。
【００４５】
そこで、ステップＳ１０３において、画像分析部７４は、環境領域２００と図９で例示されるような位置関係で動体領域３００に、動体が検出される場合に、換言すると、環境領域２００の上端周辺の動体領域３００に動体が検出される場合に、患者Ｘがベッド１００上で起き上がったと推定する。こうして、起き上がりが推定されると、必要に応じてこれを通知する（ステップＳ１０４）。すなわち、ナースコールなどの設備で、患者の起き上がりを知らせるようにする。
【００４６】
なお、図９では、動きが生じている動体領域３００の形状は矩形で例示されている。しかしながら、当該例示は、動体領域が矩形状に行われなければならないことを示すものではない。以上のような起き上がりの動作の検出と同様に、ベッドにおける端座位、ベッドの柵越え、ベッドからの落下、及び、ベッドからの離床についても、同様に各動作に応じた環境領域２００及び動体領域３００を設定することで、検知することができる。
【００４７】
但し、以上は一例であり、少なくとも画像上で環境領域２００としてベッド１００の位置が特定されていればよい。そして、動体領域２００は、検出すべき患者の動作に応じて決定すればよい。例えば、上記の動体領域２００は起き上がりを想定したものであるが、ベッドの側部に動体領域を設定すれば、端座位を検出することができる。また、動体領域を特に設定せず、検出した動体とベッド１００との位置関係から、上述した端座位、ベッドの柵越え、ベッドからの落下、及び、ベッドからの離床などを検知することもできる。
【００４８】
＜１−５．監視手順＞
次に、上記のように構成された監視装置を用いた監視の手順について、図１０に示すフローチャートを参照しつつ説明する。まず、患者Ｘがベッド１００上にいることを確認した上で、情報処理装置４を含めた監視装置の電源をＯＮにする。これにより、液晶ディスプレイ３に図４に示すような操作画面が表示される。次に、監視装置の支持部１を入院患者のベッド１００の周囲のいずれかの位置に配置する（ステップＳ２０１）。ここでは、図４と同じく、ベッド１００の頭側の右の角に配置する。この状態で、操作画面の設置位置設定領域３１に表示されたカメラ位置の候補から、支持部１が設置された位置を押下する（ステップＳ２０２）。これにより、第１設定制御部７２は、入力されたカメラ２の位置から、これに対応する環境基準データを記憶部４２から読み出し、環境基準条件として設定する（ステップＳ２０３）。同時に、画像表示領域３２には、図４に示すように、カメラ２の位置に対応したマーカーＭが表示される。
【００４９】
次に、操作者は、画像表示領域３２に表示されたマーカーＭと患者Ｘとを位置合わせする。具体的には、画像表示領域３２の上部の説明文に記載のように、人の形状をなしているマーカーＭの頭の部分を、患者Ｘの頭に位置決めする。そのために、操作者は、カメラ２の角度を調整したり、あるいは棒状部材１１を伸縮させつつ、液晶ディスプレイ３を見ながら、位置合わせを行う。このとき、液晶ディスプレイ３を棒状部材１１から取り外し、操作者が見やすい位置に液晶ディスプレイ３を置いた状態で、位置合わせを行ってもよい。こうして、位置合わせが完了すると（ステップＳ２０４のＹＥＳ）、操作画面の完了ボタンを押下する（ステップＳ２０５）。これにより、第２設定制御部７３は、位置合わせが行われたマーカーＭの位置が監視基準位置として設定し、この監視基準位置に基づいて、環境基準条件のベッド１００の位置を修正した監視基準条件を設定する（ステップＳ２０６）。ここで、再度の位置合わせや、あるいは監視装置の設置位置を変更したい場合には（ステップＳ２０７のＹＥＳ）、操作画面のキャンセルボタン３４を押下する（ステップＳ２０８）。これにより、設置位置を再度設定することができる。そして、再度の設定が必要ない場合には（ステップＳ２０７のＮＯ）、上述したような画像分析部７４による監視が開始される（ステップＳ２０９）。
【００５０】
以上のように、本実施形態によれば、カメラ２の設置位置に応じて、撮影される患者Ｘの置かれた環境を予め規定した監視環境データを記憶いるので、この監視環境データにより、カメラ２の設置位置に応じた画像の分析が可能となる。すなわち、カメラ２によって撮影される画像は、上述したように、カメラ２の設置位置によって異なるため、このような監視環境データを参照すれば、カメラ２の設置位置ごとに患者Ｘの置かれた環境が監視環境条件として設定されるため、その環境を基準として患者Ｘの動作の分析を正確に行うことができる。さらに、液晶ディスプレイ３に表示される患者ＸとマーカーＭとの位置合わせを行い、位置合わせされたマーカーＭの位置を監視基準位置として記憶しているので、これに基づいて、撮影された画像の中でのベッド１００の位置を正確に特定することができる。すなわち、最初に設定されたベッド１００の位置等である監視環境条件が、監視基準位置に基づいて修正され、画像中でのベッド１００の正確な位置が特定された監視基準条件が生成される。これにより患者Ｘの周囲の環境、つまり動作の基準を設けることができるため、カメラ２により撮影された患者Ｘの画像を正確に分析することができる。
【００５１】
＜２．第２実施形態＞
次に、本発明の第２実施形態に係る監視装置について、図面を参照しつつ説明する。ここでは、主として第１実施形態との相違部分について説明を行う。したがって、同一構成には同一の符号を付し、その説明を省略する。
【００５２】
本実施形態が、第１実施形態と相違するのは、液晶ディスプレイに表示されるマーカーと患者Ｘとの位置合わせの機構であり、第１実施形態では、これを操作者が手動で行っていたのに対し、本実施形態に係る監視装置では、これ機械により行う。そのための構成について、第１実施形態と相違する点について説明する。
【００５３】
まず、カメラ２は、棒状部材１１に対し、駆動部２０によって角度を調整することができるようになっている。駆動部２０は、カメラ２の角度を調整するための歯車、リンク機構などの角度調整機構（図示省略）と、これを駆動するサーボモータなどのモータ（図示省略）とで構成されている。また、棒状部材１１の伸縮についても、モータで行うことができる。図１１に示すように、駆動部２０は、情報処理装置に対し、無線または有線で接続されている。
【００５４】
また、第１実施形態において、情報処理装置４の機能構成の１つとして説明した第２設定制御部の機能が第１実施形態とは相違する。この点について、図１２を参照しつつ説明する。第１実施形態では、画像表示領域３２にマーカーＭが表示されると、これを手動で患者Ｘに位置合わせしたが、第２実施形態では、画像表示領域３２に表示された患者Ｘの位置を入力する。すなわち、画像表示領域３２の上部の文字３２１により促すように、マーカーＭが表示された後、画像表示領域３２に表示された患者Ｘの頭をタッチする。これにより、第２設定制御部７３は、マーカーＭの頭の部分が、タッチされた患者Ｘの頭と一致するような、カメラ２の調整角度（またはこれに加えて棒状部材の伸縮長さ）を算出し、モータを駆動する。
【００５５】
以上のような構成を備えた監視装置による監視の手順について、図１３のフローチャートを参照しつつ説明する。ここでは、主として、第１実施形態と相違する点について説明する。ステップＳ３０１〜Ｓ３０３を経ると、画像表示領域３２には、カメラ２の位置に対応したマーカーＭが表示される。これに対して、操作者は、画像表示領域３２に表示されたマーカーＭと患者Ｘとを位置合わせするため、画像表示領域３２に表示された患者Ｘの頭をタッチする（ステップＳ３０４）。これにより、患者の頭の位置が情報処理装置４に入力され、その位置から第２設定制御部７３はカメラ２の調整角度を算出し、駆動部２０に制御信号を送信する。駆動部２０は制御信号に基づいて、カメラ２の角度を調整する。そして、操作者は、液晶ディスプレイ３を見てマーカーＭの位置の確認を行い、位置合わせが完了したと判断すると（ステップＳ３０５のＹＥＳ）、操作画面の完了ボタンを押下する（ステップＳ３０６）。これにより、第２設定制御部７３は、位置合わせが行われたマーカーＭの位置が監視基準位置として設定され、この監視基準位置と環境基準条件とにより、監視基準条件が設定される（ステップＳ３０７）。その後、ステップは、第１実施形態と同じである。
【００５６】
以上のように、本実施形態によれば、マーカーと患者との位置合わせを自動で行うことができるため、作業が容易になり、操作者の負担を軽減することができる。
【００５７】
＜３．変形例＞
以上、本発明の実施形態について説明したが、本発明はこれら実施形態に限定される者ではなく、その趣旨を逸脱しない限りにおいて、種々の変更が可能である。
【００５８】
＜３．１＞
上記実施形態では、マーカーＭは、患者の全身の形状を示しているが、患者の少なくとも一部が表されていればよく、例えば、図１４に示すような人の上半身の一部を正面から見た形態（ａ）、または人の上半身の一部を側面から見た形態（ｂ）とすることもできる。
【００５９】
＜３．２＞
上記実施形態では、患者とマーカーＭとの位置合わせを行っているが、患者ではなく、監視対象基準物であるベッド１００とマーカーＭとを位置合わせするように構成することもできる。すなわち、患者ではなく、ベッド１００の画像内での位置を正確に特定することでも、そこから患者の動作を分析することができる。例えば、図１５に示すように、マーカーＭとして、ベッド１００の輪郭の少なくとも一部を表示し、このマーカーＭと画像内のベッド１００とを位置合わせしてもよい。このとき位置合わせされたベッドの位置が監視基準位置となる。こうすることで、ベッド１００の位置が正確に特定でき、この位置に基づいて監視環境条件のベッドの位置が修正された監視基準条件が生成される。これにより、患者の動作を正確に分析することができる。この場合、マーカーＭは、ベッドの少なくとも一部を表していればよい。
【００６０】
＜３．３＞
例えば、支持部１、カメラ２、及び液晶ディスプレイ３の形態は、上記実施形態に限定されず、種々の態様が可能である。すなわち、支持部は、カメラ、液晶ディスプレイを支持できる形態であれば、特には限定されない。また、液晶ディスプレイは、タッチパネルを備えているが、入力部としては、キーボード、マウスのほか、専用のボタンなど、種々の態様にすることができる。また、本発明の第１から第３入力部は、上記実施形態では、タッチパネルとなっているが、各入力部は別個に設けられた入力部であってもよい。
【００６１】
＜３．４＞
上述した監視環境データに含まれる監視対象基準物は、ベッド以外でももちろんよく、患者の周囲にある構造物であれば、特には限定されない。
【００６２】
＜３．５＞
上記実施形態では、本発明に係る監視装置を患者の見守り装置として用いた例を示したが、病院などの患者を見守る以外にも、特定の監視対象者を監視するための装置として使用することもできる。
【符号の説明】
【００６３】
１  支持部
２  カメラ（撮影部）
３  液晶ディスプレイ（表示部、第１〜第３入力部）
４２  記憶部
７２  第１設定制御部
７３  第２設定制御部
【図１】
2014182409.tif 000003
【図２】
2014182409.tif 000004
【図３】
2014182409.tif 000005
【図４】
2014182409.tif 000006
【図５】
2014182409.tif 000007
【図６】
2014182409.tif 000008
【図７】
2014182409.tif 000009
【図８】
2014182409.tif 000010
【図９】
2014182409.tif 000011
【図１０】
2014182409.tif 000012
【図１１】
2014182409.tif 000013
【図１２】
2014182409.tif 000014
【図１３】
2014182409.tif 000015
【図１４】
2014182409.tif 000016
【図１５】
2014182409.tif 000017